(57)【特許請求の範囲】
【請求項１】
端末機器に応用されるセル選択／再選択方法において、
少なくとも１つのセルの速度優先度および前記端末機器の移動速度等級を取得するステップと、
前記速度優先度および前記移動速度等級に基づいてセルの選択／再選択を行うステップとを含み、
ここで、前記セルの速度優先度は、速度次元に基づく、周波数優先度よりも高い優先度情報であり、
前記速度優先度には、セルの速度優先度のサービス範囲を識別するための速度優先度範囲情報をさらに含み、
前記速度優先度および前記移動速度等級に基づいてセルの選択／再選択を行うステップは、
前記移動速度等級と前記少なくとも１つのセルの速度優先度を比較し、前記少なくとも１つのセルから、速度優先度が前記移動速度等級にマッチするセルをセル候補として選択するステップと、
前記セル候補の内でさらにセルの選択／再選択を行うステップとを含み、
前記端末機器は、前記セル候補の速度優先度のサービス範囲にあり、
前記セル候補の内でさらにセルの選択／再選択を行うステップは、
前記セル候補の内で、セルの周波数優先度によってさらにセルの選択／再選択を行うステップを含むセル選択／再選択方法。
【請求項２】
前記移動速度等級と前記少なくとも１つのセルの速度優先度を比較し、前記少なくとも１つのセルから、速度優先度が前記移動速度等級にマッチするセルをセル候補として選択するステップは、
少なくとも１つのセルの速度優先度と前記端末機器の移動速度等級とのレベル差をそれぞれ取得するステップと、
最小のレベル差に対応するセルを、速度優先度が前記端末機器の移動速度等級にマッチするセル候補として特定するステップとを含む請求項１に記載の方法。
【請求項３】
前記レベル差が０である場合、前記セル候補の速度優先度は、前記端末機器の移動速度等級に完全にマッチし、
前記レベル差が０ではなく、上方へマッチする場合、前記セル候補の速度優先度のレベルは、前記端末機器の移動速度等級のレベルより高く、または、下方へマッチする場合、前記セル候補の速度優先度のレベルは、前記端末機器の移動速度等級のレベルより低い請求項２に記載の方法。
【請求項４】
前記端末機器の現在の隣接セル構成情報のうち、すべての隣接セルの速度優先度と前記端末機器の移動速度等級とのレベル差が前記最小のレベル差より大きくなり、かつ前記端末機器の現在セルからの信号受信強度が所定閾値より高くなる場合、前記端末機器が、セルの速度優先度と前記端末機器の移動速度等級とのレベル差がより小さいセルを検索するプロセスを起動する必要がない請求項２または３に記載の方法。
【請求項５】
端末機器に応用されるセル選択／再選択装置において、
少なくとも１つのセルの速度優先度および前記端末機器の移動速度等級を取得する取得モジュールと、
前記速度優先度および前記移動速度等級に基づいてセルの選択／再選択を行うセル選択モジュールとを含み、
ここで、前記セルの速度優先度は、速度次元に基づく、周波数優先度よりも高い優先度情報であり、
前記速度優先度には、セルの速度優先度のサービス範囲を識別するための速度優先度範囲情報をさらに含み、
前記セル選択モジュールは、
前記移動速度等級と前記少なくとも１つのセルの速度優先度を比較し、前記少なくとも１つのセルから、速度優先度が前記移動速度等級にマッチするセルをセル候補として選択する第１選択サブモジュールと、
前記セル候補の内でさらにセルの選択／再選択を行う第２選択サブモジュールとを含み、
前記端末機器は、前記セル候補の速度優先度のサービス範囲にあり、
前記第２選択サブモジュールは、
前記セル候補の内で、セルの周波数優先度によってさらにセルの選択／再選択を行う選択ユニットを含むセル選択／再選択装置。
【請求項６】
前記第１選択サブモジュールは、
少なくとも１つのセルの速度優先度と前記端末機器の移動速度等級とのレベル差をそれぞれ取得する差取得ユニットと、
最小のレベル差に対応するセルを、速度優先度が前記端末機器の移動速度等級にマッチするセル候補として特定する特定ユニットとを含む請求項５に記載の装置。
【請求項７】
前記レベル差が０である場合、前記セル候補の速度優先度は、前記端末機器の移動速度等級に完全にマッチし、
前記レベル差が０ではなく、上方へマッチする場合、前記セル候補の速度優先度のレベルは、前記端末機器の移動速度等級のレベルより高く、または、下方へマッチする場合、前記セル候補の速度優先度のレベルは、前記端末機器の移動速度等級のレベルより低い請求項６に記載の装置。
【請求項８】
前記端末機器の現在の隣接セル構成情報のうち、すべての隣接セルの速度優先度と前記端末機器の移動速度等級とのレベル差が前記最小のレベル差より大きくなり、かつ前記端末機器の現在セルからの信号受信強度が所定閾値より高くなる場合、前記端末機器が、セルの速度優先度と前記端末機器の移動速度等級とのレベル差がより小さいセルを検索するプロセスを起動する必要がない請求項６または７に記載の装置。
【発明の詳細な説明】
【技術分野】
【０００１】
＜優先権要求＞
本願は、２０１７年１月１０日に中国特許庁に提出された中国特許出願２０１７１００１６４７５．３の優先権を主張し、その全ての内容が援用によりここに取り込まれる。
【０００２】
本開示の実施例は、通信技術分野に係り、特にセル選択／再選択方法、セル切替パラメータ設定方法および装置に係る。
【背景技術】
【０００３】
従来、たとえばＬＴＥ（Ｌｏｎｇ  Ｔｅｒｍ  Ｅｖｏｌｕｔｉｏｎ）において、周波数の異なるネットワークでの負荷に対する計画の需要を満たすために、待機状態ユーザと接続状態ユーザには、それぞれ周波数優先度イベントが定義されている。たとえば１．９ＧＨｚ周波数帯域のセルと２．６周波数帯域のセルは、適切なセル再選択閾値に合わせるように、異なる周波数優先度が用いられることにより、１．９ＧＨｚ周波数帯域のセルと２．６ＧＨｚ周波数帯域のセルの間の待機状態ユーザの分布の全体的制御が行われる。接続状態の場合、測定イベント（Ｅｖｅｎｔ、たとえばＡ２、Ａ３、Ａ４、Ａ５）の設定と測定報告によって、待機状態と同じポリシーで、周波数の異なるネットワークにおけるユーザの合理的分布が保証される。しかし、高速鉄道専用網と普通の公共ネットワークとの重複エリアなど、一部のシーンでは、上述した周波数優先度の設定に以下の問題が存在する。
１．高速鉄道専用網と普通の公共ネットワークが、異なる周波数優先度が用いられたとしても、専用網ユーザから専用網への迅速な選択／復帰を可能にするために、通常、専用網の周波数に高い優先度が設定される。しかし、この優先度がすべての端末機器のユーザに適用するため、専用網のカバーエリア内の普通の公共ネットワークのユーザ／地面ユーザも大量に専用網に滞在することになり、専用網リソースが普通の公共ネットワークユーザに大量に占用されることになる。
２．高速鉄道専用網と普通の公共ネットワークが、同じ周波数が用いられると、公共ネットワークのセルと専用網のセルでは、周波数優先度を区別できず、端末機器が専用網と公共ネットワークセルの間で頻繁に再選択し、公共ネットワークユーザが専用網セルと公共ネットワークセルを区別しにくく、専用網のカバーエリア内の普通の公共ネットワークユーザ／地面ユーザも大量に専用網に滞在することになり、専用網リソースが普通の公共ネットワークユーザに大量に占用されることになる。
【発明の概要】
【発明が解決しようとする課題】
【０００４】
本開示の目的は、セル選択／再選択方法、セル切替パラメータ設定方法および装置を提供することによって、従来技術で端末機器が高速鉄道専用網と普通の公共ネットワークを区別できず専用網リソースの無駄遣いにつながることを解決する。
【課題を解決するための手段】
【０００５】
上記の目的を達成するために、第１の方面において、本開示の実施例は、端末機器に応用されるセル選択／再選択方法を提供する。前記方法において、少なくとも１つのセルの速度優先度および端末機器の移動速度等級を取得するステップと、前記速度優先度および前記移動速度等級に基づいてセルの選択／再選択を行うステップとを含む。
【０００６】
本開示の１つの実行可能な実施例において、前記速度優先度には、セルの速度優先度のサービス範囲を識別するための速度優先度範囲情報をさらに含んでもよい。前記速度優先度および前記移動速度等級に基づいてセルの選択／再選択を行うステップは、前記移動速度等級と前記少なくとも１つのセルの速度優先度を比較し、前記少なくとも１つのセルから、速度優先度が前記移動速度等級にマッチするセルをセル候補として選択するステップと、前記セル候補の内でさらにセルの選択／再選択を行うステップとを含み、前記端末機器は、前記セル候補の速度優先度のサービス範囲にある。
【０００７】
本開示の１つの実行可能な実施例において、前記セル候補の内でさらにセルの選択／再選択を行うステップは、前記セル候補の内で、セルの周波数優先度によってさらにセルの選択／再選択を行うステップを含む。
【０００８】
本開示の１つの実行可能な実施例において、前記移動速度等級と前記少なくとも１つのセルの速度優先度を比較し、前記少なくとも１つのセルから、速度優先度が前記移動速度等級にマッチするセルをセル候補として選択するステップは、少なくとも１つのセルの速度優先度と前記端末機器の移動速度等級のレベル差をそれぞれ取得するステップと、最小のレベル差に対応するセルを、速度優先度が前記端末機器の移動速度等級にマッチするセル候補として特定するステップとを含む。
【０００９】
本開示の１つの実行可能な実施例において、前記レベル差が０である場合、前記セル候補の速度優先度は、前記端末機器の移動速度等級に完全にマッチする。前記レベル差が０ではなく、上方へマッチする場合、前記セル候補の速度優先度のレベルは、前記端末機器の移動速度等級のレベルより高く、または、下方へマッチする場合、前記セル候補の速度優先度のレベルは、前記端末機器の移動速度等級のレベルより低い。
【００１０】
本開示の１つの実行可能な実施例において、前記レベル差が０ではない場合、上方へマッチするか下方へマッチするかを、所定の取り決めまたはネットワーク側機器の指示に基づいて特定する。
【００１１】
本開示の１つの実行可能な実施例において、端末機器の現在の隣接セル構成情報のうち、すべての隣接セルの速度優先度と端末機器の移動速度等級とのレベル差が前記最小のレベル差より大きくなり、かつ端末機器の現在セルからの信号受信強度が所定閾値より高くなる場合、端末機器が、セルの速度優先度と端末機器の移動速度等級とのレベル差がより小さいセルを検索するプロセスを起動する必要がない。
【００１２】
第２の方面において、本開示の実施例は、ネットワーク側機器に応用されるセル切替パラメータ設定方法を提供する。当該方法において、端末機器の移動速度等級およびセルの速度優先度に基づいて、端末機器のイベント報告または切替フローをトリガーするパラメータを設定するステップを含む。
【００１３】
本開示の１つの実行可能な実施例において、端末機器の移動速度等級およびセルの速度優先度に基づいて、端末機器のイベント報告または切替フローをトリガーするパラメータを設定するステップは、各移動速度等級とすべての速度優先度との間のマッピング関係を設定するステップと、２つのマッピング関係の間のマッピング関係ペア毎に、端末機器のイベント報告または切替フローをトリガーするパラメータをそれぞれ設定するステップとを含む。
【００１４】
本開示の１つの実行可能な実施例において、端末機器のイベント報告または切替フローをトリガーするパラメータは、端末機器のイベント報告または切替フローをトリガーする速度拡張因子および／または端末機器のイベント報告または切替フローをトリガーする遅延パラメータを含む。
【００１５】
第３の方面において、本開示の実施例は、端末機器に応用されるセル選択／再選択装置を提供する。当該装置において、少なくとも１つのセルの速度優先度および端末機器の移動速度等級を取得する取得モジュールと、前記速度優先度および前記移動速度等級に基づいてセルの選択／再選択を行うセル選択モジュールとを含む。
【００１６】
本開示の１つの実行可能な実施例において、前記速度優先度には、セルの速度優先度のサービス範囲を識別するための速度優先度範囲情報をさらに含んでもよい。前記セル選択モジュールは、前記移動速度等級と前記少なくとも１つのセルの速度優先度を比較し、前記少なくとも１つのセルから、速度優先度が前記移動速度等級にマッチするセルをセル候補として選択する第１選択サブモジュールと、前記セル候補の内でさらにセルの選択／再選択を行う第２選択サブモジュールとを含み、前記端末機器は、前記セル候補の速度優先度のサービス範囲にある。
【００１７】
本開示の１つの実行可能な実施例において、前記第２選択サブモジュールは、前記セル候補の内で、セルの周波数優先度によってさらにセルの選択／再選択を行う選択ユニットを含む。
【００１８】
本開示の１つの実行可能な実施例において、前記第１選択サブモジュールは、少なくとも１つのセルの速度優先度と前記端末機器の移動速度等級のレベル差をそれぞれ取得する差取得ユニットと、最小のレベル差に対応するセルを、速度優先度が前記端末機器の移動速度等級にマッチするセル候補として特定する特定ユニットとを含む。
【００１９】
本開示の１つの実行可能な実施例において、前記レベル差が０である場合、前記セル候補の速度優先度は、前記端末機器の移動速度等級に完全にマッチする。前記レベル差が０ではなく、上方へマッチする場合、前記セル候補の速度優先度のレベルは、前記端末機器の移動速度等級のレベルより高く、または、下方へマッチする場合、前記セル候補の速度優先度のレベルは、前記端末機器の移動速度等級のレベルより低い。
【００２０】
本開示の１つの実行可能な実施例において、前記レベル差が０ではない場合、上方へマッチするか下方へマッチするかを、所定の取り決めまたはネットワーク側機器の指示に基づいて特定する。
【００２１】
本開示の１つの実行可能な実施例において、端末機器の現在の隣接セル構成情報のうち、すべての隣接セルの速度優先度と前記端末機器の移動速度等級とのレベル差が前記最小のレベル差より大きくなり、かつ端末機器の現在セルからの信号受信強度が所定閾値より高くなる場合、端末機器が、セルの速度優先度と前記端末機器の移動速度等級とのレベル差がより小さいセルを検索するプロセスを起動する必要がない。
【００２２】
第４の方面において、本開示の実施例は、ネットワーク側機器に応用されるセル切替パラメータ設定装置を提供する。当該装置において、端末機器の移動速度等級およびセルの速度優先度に基づいて、端末機器のイベント報告または切替フローをトリガーするパラメータを設定する設定モジュールを含む。
【００２３】
本開示の１つの実行可能な実施例において、前記設定モジュールは、各移動速度等級とすべての速度優先度との間のマッピング関係を設定する第１設定サブモジュールと、２つのマッピング関係の間のマッピング関係ペア毎に、端末機器のイベント報告または切替フローをトリガーするパラメータをそれぞれ設定する第２設定サブモジュールとを含む。
【００２４】
本開示の１つの実行可能な実施例において、前記の端末機器のイベント報告または切替フローをトリガーするパラメータは、端末機器のイベント報告または切替フローをトリガーする速度拡張因子および／または端末機器のイベント報告または切替フローをトリガーする遅延パラメータを含む。
【００２５】
第５の方面において、本開示の実施例は、プロセッサと、メモリと、前記メモリに記憶されて前記プロセッサで実行可能なコンピュータプログラムを含む端末機器を提供し、前記コンピュータプログラムが前記プロセッサによって実行されると、上記のセル選択／再選択方法のステップが実現される。
【００２６】
第６の方面において、本開示の実施例は、プロセッサと、メモリと、前記メモリに記憶されて前記プロセッサで実行可能なコンピュータプログラムを含むネットワーク側機器を提供し、前記コンピュータプログラムが前記プロセッサによって実行されると、上記のセル切替パラメータ設定方法のステップが実現される。
【００２７】
第７の方面において、本開示の実施例は、コンピュータプログラムが記憶されているコンピュータ読み取り可能な記憶媒体を提供し、前記プログラムがプロセッサによって実行されると、上記のセル選択／再選択方法のステップが実現される。
【００２８】
第８の方面において、本開示の実施例は、コンピュータプログラムが記憶されているコンピュータ読み取り可能な記憶媒体を提供し、前記プログラムがプロセッサによって実行されると、上記のセル切替パラメータ設定方法のステップが実現される。
【発明の効果】
【００２９】
本開示の実施例において、セル選択／再選択方法、セル切替パラメータ設定方法および装置を提供する。端末機器は、ネットワークセルの速度優先度および自身の移動速度等級を取得することによって、セル選択の際に、優先的に速度優先度でセル除外を行ってから、周波数優先度でセル除外を行って、目標セルを選択して滞在する。よって、端末機器は、速度優先度の異なるセルを区別することができ、自身の移動速度にマッチするセルに優先的に滞在し、端末機器の滞在効率を向上させるとともに、優先度の異なるセルのサービス効率を向上させる。
【図面の簡単な説明】
【００３０】
本開示の実施例や関連技術の技術手段をより明確に説明するために、以下、実施例の記載に必要とされる図面を簡単に紹介する。明らかに、以下の記載に関する図面は、単に本開示の一部の実施例である。当業者にとって、創造性のある作業をしない前提で、これらの図面から他の図面を得ることもできる。
【００３１】
【図１】本開示の実施例１におけるセル選択／再選択方法のフローチャートである。
【図２】本開示の実施例２におけるセル切替パラメータ設定方法のフローチャートである。
【図３】本開示の実施例３におけるセル選択／再選択装置の構造図である。
【図４】本開示の実施例４におけるセル切替パラメータ設定装置の構造図である。
【発明を実施するための形態】
【００３２】
以下、本開示の実施例の添付図面を参照しながら、本開示の実施例の技術手段を明確且つ完全的に記載する。明らかに、記載する実施例は、本開示の実施例の一部であり、全てではない。本開示の実施例に基づき、当業者が創造性のある作業をせずに為しえる全ての実施例は、本発明の保護範囲に属するものである。
【００３３】
本開示の実施例の解決しようとする技術課題、技術手段および利点をより明確にするために、以下、添付図面および具体的な実施例を通じて詳細に記載する。
【００３４】
＜実施例１＞
図１に示すように、本開示の実施例１は、端末機器に応用されるセル選択／再選択方法を提供する。前記方法において、少なくとも１つのセルの速度優先度および端末機器の移動速度等級を取得するステップ１１と、前記速度優先度および前記移動速度等級に基づいてセルの選択／再選択を行うステップ１２とを含む。
【００３５】
ネットワーク側機器は、セル毎にセル速度優先度を設定し、速度優先度ＩＤによりセル速度優先度を指示する。たとえば、セル速度優先度は、高速、中速、低速に分けられたり、１級、２級、３級に分けられたりする。具体的に、高速鉄道専用網セルのセル速度優先度が高速または１級に設定されると、高速鉄道専用網セルは、高速に移動する端末機器に優先的にサービスを提供する。普通の公共ネットワークセルのセル速度優先度が中速または低速に設定されてもよく、２級または３級に設定されてもよい。すると、普通の公共ネットワークセルは、中速または低速で移動したり相対的に静止だったりする端末機器に優先的にサービスを提供する。
【００３６】
端末機器側は、自身の移動速度の推定に基づいて、自身の移動速度等級を特定し、同様に高速、中速、低速や、１級、２級、３級に分けられる。端末機器側は、自身の移動速度等級に基づいて、それにマッチする速度優先度のセルを選択して滞在する。
【００３７】
具体的に、端末機器は、セルの速度優先度に基づいて、高速に移動するユーザへのサービス提供に適用する専用網セルであるか、それとも、普通の移動速度へのサービス提供に適用する普通の公共ネットワークセルであるかを判断する。すると、端末機器は、自身の移動速度等級に基づいて、マッチしたセルを選択して滞在することができ、高速鉄道専用網リソースが普通の移動速度のユーザに大量に占用されることが避けられる。
【００３８】
具体的に、本開示の実施例１における前記速度優先度には、セルの速度優先度のサービス範囲を識別するための速度優先度範囲情報をさらに含む。すると、ステップ１２は、ステップ１２１とステップ１２２を含む。ステップ１２１において、前記移動速度等級と前記少なくとも１つのセルの速度優先度を比較し、前記少なくとも１つのセルから、速度優先度が前記移動速度等級にマッチするセルをセル候補として選択する。ここで、前記端末機器は、前記セル候補の速度優先度のサービス範囲にある。ステップ１２２において、前記セル候補の内でさらにセルの選択／再選択を行う。
【００３９】
具体的に、ステップ１２２は、前記セル候補の内で、セルの周波数優先度によってさらにセルの選択／再選択を行うステップ１２２１を含む。
【００４０】
本開示の実施例１において、端末機器は、複数のセルに対し一回のセル除外を行ってセル候補を特定する。特定されるセル候補は、１つであってもよく複数であってもよい。当該種類のセル候補の速度優先度は、いずれも、端末機器の移動速度等級にマッチする。セル候補が特定されると、さらに、周波数優先度に基づいて複数のセル候補に対しもう１回のセル除外を行って目標セルを特定し、目標セルで滞在する。
【００４１】
さらに、本開示の上記実施例のステップ１２１は、少なくとも１つのセルの速度優先度と前記端末機器の移動速度等級のレベル差をそれぞれ取得するステップ１２１１と、最小のレベル差に対応するセルを、速度優先度が前記端末機器の移動速度等級にマッチするセル候補として特定するステップ１２１２とを含む。
【００４２】
選択可能に、レベル差が０、１、２を含むのであれば、この場合最小のレベル差が０であり、すなわちセルの速度優先度と端末機器の移動速度等級とは同じであり、レベル差０に対応するセルは、セル候補である。レベルさが１、２を含むのであれば、この場合最小のレベル差が１であり、セルの速度優先度は、端末機器の移動速度等級に近く、レベル差１に対応するセルは、セル候補として特定される。
【００４３】
具体的に、前記レベル差が０である場合、前記セル候補の速度優先度は、前記端末機器の移動速度等級に完全にマッチする。前記レベル差が０ではなく、上方へマッチする場合、前記セル候補の速度優先度のレベルは、前記端末機器の移動速度等級のレベルより高く、または、下方へマッチする場合、前記セル候補の速度優先度のレベルは、前記端末機器の移動速度等級のレベルより低い。
【００４４】
具体的に、前記レベル差が０ではない場合、上方へマッチするか下方へマッチするかを、所定の取り決めまたはネットワーク側機器の指示に基づいて特定する。
【００４５】
なお、レベル差が０ではない場合、端末機器の移動速度等級は、セル候補の速度優先度より高い可能性もあれば、セル候補の速度優先度より低い可能性もある。たとえば、レベル差が１である場合、端末機器の移動速度等級を中速（または２級）とすると、セルの速度優先度は、高速（１級）である可能性もあれば、低速（３級）である可能性もある。端末機器は、セル候補の特定プロセスにおいて、所定のルールに従って、移動速度等級より高いセルを優先的に選択したり、移動速度等級より低いセルを優先的に選択したり、移動速度等級より高いセルおよび移動速度等級より低いセルの両方を選択したりする。
【００４６】
さらに、当該所定のルールは、端末機器によって事前に設定されてもよく、ネットワーク側機器によって事前に設定されてもよいが、ここでは具体的に限定しない。
【００４７】
また、端末機器の現在の隣接セル構成情報のうち、すべての隣接セルの速度優先度と端末機器の移動速度等級とのレベル差が前記最小のレベル差より大きくなり、かつ端末機器の現在セルからの信号受信強度が所定閾値より高くなる場合、端末機器は、セルの速度優先度と端末機器の移動速度等級とのレベル差がより小さいセルを検索するプロセスを起動する必要がない。
【００４８】
以上の記載をまとめると、ネットワーク側機器では、速度次元に基づく優先度リストを導入し、ネットワーク側機器のセルは、高速移動の端末機器に適用するセル、中速移動の端末機器に適用するセル、または、低速移動の端末機器に適用するセルにそれぞれ設定され、ここでは具体的に限定しない。速度優先度は、単に高速セルや低速セルに設定されてもよく、高速セル、中速セルまたは低速セルに設定されてもよく、１級、２級、３級などの形式に設定して異なる速度優先度を識別してもよい。端末機器では、端末機器の移動速度等級に基づくホーム優先度判断を導入し、端末機器は、自身の移動速度の推定に基づいて、自身が優先的に滞在するセルが高速優先度セルであるかそれとも低速優先度セルであるかを決定し、ネットワーク側の各セルの速度優先度ＩＤ／優先度リストにも基づいて、対応するセルを選択して滞在する。
【００４９】
なお、端末機器は、自身の移動速度等級とネットワーク側の各セルの速度優先度に基づいてセル選択を行う。従来技術に比較し、端末機器は、周波数優先度に基づいてセル選択を行うプロセスの前に、自身の移動速度等級と各セルの速度優先度のマッチプロセスを完成させる必要がある。
【００５０】
たとえば、ユーザが高速鉄道にいると、端末機器の移動速度優先度は、高速である。この場合、端末機器は、以下のプロセスでセルの選択またはセルの再選択を行う。
セルＡ、セルＢが高速鉄道専用網セルであり、ユーザＣが高速道路セルであり、セルＤが普通の公共ネットワークセルである。端末機器は、セルＡの速度優先度が高速であり、セルＢの速度優先度が高速であり、セルＣの速度優先度が中速であり、セルＤの速度優先度が低速であるような周囲セルの速度優先度を取得する。
【００５１】
端末機器は、自身の移動速度優先度と各セルの速度等級に基づいて、セルＡとセルＢがセル候補であると特定する。端末機器は、さらに、セルＡとセルＢの周波数優先度に基づいてセル選択を行う。ここで、周波数優先度による選択プロセスは、従来技術であり、ここで詳細に記載しない。
【００５２】
本開示の実施例１におけるセル選択／再選択方法によれば、端末機器が高速鉄道専用網と普通の公共ネットワークを識別可能であり、異なる移動速度の待機状態ユーザの高速鉄道専用網と普通の公共ネットワークでの分布や滞在を効果的に制御することができ、公共ネットワークユーザが高速鉄道専用網に大量に滞在することによって専用網リソースが普通の公共ネットワークユーザに大量に占用されることが避けられ、端末機器がオフラインになったり体験が低下したりする確率を下げる。
【００５３】
＜実施例２＞
図２に示すように、本開示の実施例２は、ネットワーク側機器に応用されるセル切替パラメータ設定方法を提供する。当該方法において、端末機器の移動速度等級およびセルの速度優先度に基づいて、端末機器のイベント報告または切替フローをトリガーするパラメータを設定するステップ２１を含む。当該パラメータは、端末機器のセル選択／再選択にも用いられる。
【００５４】
本開示の実施例２におけるセル切替パラメータ設定方法は、接続状態の端末機器に応用され、すなわち、接続状態の端末機器が移動中に端末機器のイベント報告または切替フローをトリガーするパラメータに応用される。接続状態の端末機器は、速度優先度の異なるセルの間の切り替えに対し異なる切替パラメータを設定する。たとえば、端末機器がサービングセルから目標セルへの切り替えが必要となると、目標セルとサービングセルとは同じ速度優先度である場合、通常のイベントトリガーに従うが、目標セルとサービングセルとは異なる速度優先度である場合、異なるイベントトリガーを用いたり、特定な遅延を導入したりする。
【００５５】
具体的に、本開示の実施例２におけるステップ２１は、ステップ２１１とステップ２１２を含む。
【００５６】
ステップ２１１において、各移動速度等級とすべての速度優先度との間のマッピング関係を設定する。
【００５７】
具体的に、端末機器の移動速度等級は、高速、中速、低速を含むとする。セルの速度優先度は、高速、中速、低速を含む。対応的に、マッピング関係は、具体的に、１）高速端末機器−高速セル；２）高速端末機器−中速セル；３）高速端末機器−低速セル；４）中速端末機器−高速セル；５）中速端末機器−中速セル；６）中速端末機器−低速セル；７）低速端末機器−高速セル；８）低速端末機器−中速セル；９）低速端末機器−低速セルを含む。
【００５８】
ステップ２１１において、異なる関係ペアを設定し、具体的に、以下を含む。
１）高速端末機器−高速セルｔｏ中速セル；２）高速端末機器−中速セルｔｏ高速セル；３）高速端末機器−高速セルｔｏ低速セル；４）高速端末機器−低速セルｔｏ高速セル；５）高速端末機器−中速セルｔｏ低速セル；６）高速端末機器−低速セルｔｏ中速セル；７）中速端末機器−高速セルｔｏ中速セル；８）中速端末機器−中速セルｔｏ高速セル；９）中速端末機器−高速セルｔｏ低速セル；１０）中速端末機器−低速セルｔｏ高速セル；１１）中速端末機器−中速セルｔｏ低速セル；１２）中速端末機器−低速セルｔｏ中速セル；１３）低速端末機器−高速セルｔｏ中速セル；１４）低速端末機器−中速セルｔｏ高速セル；１５）低速端末機器−高速セルｔｏ低速セル；１６）低速端末機器−低速セルｔｏ高速セル；１７）低速端末機器−中速セルｔｏ低速セル；１８）低速端末機器−低速セルｔｏ中速セル。
【００５９】
ステップ２１２において、２つのマッピング関係の間のマッピング関係ペア毎に、端末機器のイベント報告または切替フローをトリガーするパラメータをそれぞれ設定する。
【００６０】
本ステップは、上記９つのマッピング関係ペアにパラメータをそれぞれ設定し、前記の端末機器のイベント報告または切替フローをトリガーするパラメータは、端末機器のイベント報告または切替フローをトリガーする速度拡張因子および／または端末機器のイベント報告または切替フローをトリガーする遅延パラメータを含む。
【００６１】
具体的に、端末機器に関連するｍｏｂｉｌｉｔｙ  Ｓｔａｔｅ  ｐａｒａｍｅｔｅｒｓ（移動状態パラメータ）のｑ−ＨｙｓｔＳＦには、端末機器の移動速度等級と目標セルの速度優先度とのマッピング関係を反映するパラメータを導入する。
【００６２】
たとえば、遅延パラメータの定義は、以下である。
0006965366.tif 000002
ここで、ｓｆ−Ｈｉｇｈ−Ｈｉｇｈ−ｔｏ−Ｈｉｇｈでは、１つ目の移動速度ＩＤ（Ｈｉｇｈ）は、端末機器の現在の移動速度等級を示し、２つ目の移動速度ＩＤ（Ｈｉｇｈ）は、端末機器の現在のサービングセルの移動優先度を示し、３つ目の移動速度ＩＤ（Ｈｉｇｈ）は、目標セルの移動優先度を示し、すなわち、高い移動速度等級の端末機器が現在のサービングセルから目標セルへ切り替える時に使用されるパラメータである。
【００６３】
また、たとえば、速度拡張因子の定義は、以下である。
0006965366.tif 000003
ここで、ｓｆ−Ｈｉｇｈ−Ｈｉｇｈ−ｔｏ−Ｈｉｇｈでは、１つ目の移動速度ＩＤ（Ｈｉｇｈ）は、端末機器の現在の移動速度等級を示し、２つ目の移動速度ＩＤ（Ｈｉｇｈ）は、端末機器の現在のサービングセルの移動優先度を示し、３つ目の移動速度ＩＤ（Ｈｉｇｈ）は、目標セルの移動優先度を示し、すなわち、高い移動速度等級の端末機器が現在のサービングセルから目標セルへ切り替える時に使用されるパラメータである。
【００６４】
以上の記載をまとめると、本開示の実施例２におけるセル切替パラメータ設定方法によって設定されるセル切替パラメータによって、端末機器が自身の移動速度に基づいてセル切替を行うほか、目標セルの速度優先度にも基づいてセル切替を行うことができるため、切替効率が向上する。具体的に、端末機器が高速セルから高速セルに切り替える場合、遅延量が比較的に小さい。一方、端末が高速セルから低速セルに切り替える場合、遅延量が比較的に大きい。さらに、ここの切替パラメータ設定方法は、同様にセル選択／再選択パラメータ設定にも用いられる。
【００６５】
＜実施例３＞
上記目的をさらに実現するために、図３に示すように、本開示の実施例３は、端末機器に応用されるセル選択／再選択装置を提供する。当該装置において、少なくとも１つのセルの速度優先度および端末機器の移動速度等級を取得する取得モジュール３１と、前記速度優先度および前記移動速度等級に基づいてセルの選択／再選択を行うセル選択モジュール３２とを含む。
【００６６】
具体的に、本開示の実施例３における前記速度優先度には、セルの速度優先度のサービス範囲を識別するための速度優先度範囲情報をさらに含む。前記セル選択モジュールは、前記移動速度等級と前記少なくとも１つのセルの速度優先度を比較し、前記少なくとも１つのセルから、速度優先度が前記移動速度等級にマッチするセルをセル候補として選択する第１選択サブモジュールと、前記セル候補の内でさらにセルの選択／再選択を行う第２選択サブモジュールとを含み、前記端末機器は、前記セル候補の速度優先度のサービス範囲にある。
【００６７】
具体的に、本開示の実施例３における前記第２選択サブモジュールは、前記セル候補の内で、セルの周波数優先度によってさらにセルの選択／再選択を行う選択ユニットを含む。
【００６８】
具体的に、本開示の実施例３における前記第１選択サブモジュールは、少なくとも１つのセルの速度優先度と前記端末機器の移動速度等級とのレベル差をそれぞれ取得する差取得ユニットと、最小のレベル差に対応するセルを、速度優先度が前記端末機器の移動速度等級にマッチするセル候補として特定する特定ユニットとを含む。
【００６９】
具体的に、本開示の実施例３において、前記レベル差が０である場合、前記セル候補の速度優先度は、前記端末機器の移動速度等級に完全にマッチする。前記レベル差が０ではなく、上方へマッチする場合、前記セル候補の速度優先度のレベルは、前記端末機器の移動速度等級のレベルより高く、または、下方へマッチする場合、前記セル候補の速度優先度のレベルは、前記端末機器の移動速度等級のレベルより低い。
【００７０】
具体的に、本開示の実施例３において、前記レベル差が０ではない場合、上方へマッチするか下方へマッチするかを、所定の取り決めまたはネットワーク側機器の指示に基づいて特定する。
【００７１】
具体的に、本開示の実施例３において、端末機器の現在の隣接セル構成情報のうち、すべての隣接セルの速度優先度と端末機器の移動速度等級とのレベル差が前記最小のレベル差より大きくなり、かつ端末機器の現在セルからの信号受信強度が所定閾値より高くなる場合、端末機器は、セルの速度優先度と前記端末機器の移動速度等級とのレベル差がより小さいセルを検索するプロセスを起動する必要がない。
【００７２】
以上の記載をまとめると、本開示の実施例３におけるセル選択装置によれば、端末機器が高速鉄道専用網と普通の公共ネットワークを識別可能であり、異なる移動速度の待機状態ユーザが高速鉄道専用網と普通の公共ネットワークにアクセスすることを効果的に制御することができ、公共ネットワークユーザが高速鉄道専用網に大量に滞在することによって専用網リソースが普通の公共ネットワークユーザに大量に占用されることが避けられ、オフラインになったり体験が低下したりする確率を下げる。
【００７３】
なお、本開示の実施例３におけるセル選択装置は、上記実施例１におけるセル選択／再選択方法を実行可能な装置である。上記セル選択／再選択方法のすべての実施例は、いずれもセル選択装置に適用し、かつ同一または類似な効果を奏することもできる。
【００７４】
＜実施例４＞
上記目的をさらに実現するために、図４に示すように、本開示の実施例４は、ネットワーク側機器に応用されるセル切替パラメータ設定装置を提供する。当該装置において、端末機器の移動速度等級およびセルの速度優先度に基づいて、端末機器のイベント報告または切替フローをトリガーするパラメータを設定する設定モジュール４１を含む。
【００７５】
具体的に、本開示の実施例４における前記設定モジュールは、各移動速度等級とすべての速度優先度との間のマッピング関係を設定する第１設定サブモジュールと、２つのマッピング関係の間のマッピング関係ペア毎に、端末機器のイベント報告または切替フローをトリガーするパラメータをそれぞれ設定する第２設定サブモジュールとを含む。
【００７６】
具体的に、本開示の実施例４において、前記の端末機器のイベント報告または切替フローをトリガーするパラメータは、端末機器のイベント報告または切替フローをトリガーする速度拡張因子および／または端末機器のイベント報告または切替フローをトリガーする遅延パラメータを含む。
【００７７】
以上の記載をまとめると、本開示の実施例４におけるセル切替パラメータ設定装置によって設定されるセル切替パラメータによって、端末機器が自身の移動速度に基づいてセル切替を行うほか、目標セルの速度優先度にも基づいてセル切替を行うことができるため、切替効率が向上する。具体的に、端末機器が高速セルから高速セルに切り替える場合、遅延量が比較的に小さい。一方、端末が高速セルから低速セルに切り替える場合、遅延量が比較的に大きい。
【００７８】
なお、本開示の実施例４におけるセル切替パラメータ設定装置は、上記実施例２におけるセル切替パラメータ設定方法を実行可能な装置である。上記セル切替パラメータ設定方法のすべての実施例は、いずれもセル切替パラメータ設定装置に適用し、かつ同一または類似な効果を奏することもできる。以上記載されたのは、本開示の好適な実施形態である。当業者は、本開示に記載されている原理を逸脱せずに様々な改良や修飾をすることもできる。これらの改良や修飾も、本開示の保護範囲内に含まれる。
【図１】
0006965366.tif 000004
【図２】
0006965366.tif 000005
【図３】
0006965366.tif 000006
【図４】
0006965366.tif 000007